(57)【要約】【課題】撮影後すぐに、撮影者以外の人に撮影した画像を見せる際に、レンズを汚したり、鏡筒を何かにぶつけて破損させてしまうといった不都合を防止する。【解決手段】撮影モードから再生モードに切替えた際に、鏡筒を沈胴するまでの時間をユーザーが設定できる手段を設け、また、撮影モードの種別により鏡筒を沈胴するまでの時間を変更できる手段を設ける。【選択図】図２
2007214631.tif 000002
【特許請求の範囲】
【請求項１】
撮像光学系を繰り出し方向と繰り込み方向に移動可能な撮像装置において、
前記撮像光学系を繰り込み方向に移動させる制御手段と、
撮影を行うための撮影モードから撮影した画像を再生するための再生モードへの移行時に計時を開始するタイマー手段と、
撮影を行うための撮影モードから撮影した画像を再生するための再生モードに移行した際に、前記撮像光学系を繰り込み方向に移動開始するまでの時間を設定できる手段を有することを特徴とする撮像装置。
【請求項２】
撮影を行うための複数の撮影モードを有し、撮影モードから撮影した画像を再生するための再生モードに移行した際に、前記撮像光学系を繰り込み方向に移動開始するまでの時間を前記複数の撮影モードごとに設定できる手段を有することを特徴とする請求項１記載の撮像装置。
【発明の詳細な説明】
【技術分野】
【０００１】
本発明は、静止画像や動画像を撮像、再生するデジタルカメラなどの撮像装置に関する。
【背景技術】
【０００２】
従来、この種の分野の撮像装置には、撮影モード時に鏡筒を本体から繰り出し、鏡筒内に配置された撮像レンズを通して画像を撮像し、電源オフ時には鏡筒を装置本体内に沈胴する機能を有するものがある。このような鏡筒出し入れ機能は、撮像装置の携帯性を上げる方法の１つとして、多くの画像撮像装置に採用されている。
【０００３】
また、上記の画像撮像装置の中で特にデジタルカメラの場合は、撮像装置としての機能以外に画像再生の機能を有するものが多く、この画像再生モード時には鏡筒を装置本体内に沈胴することが行われる。
【０００４】
下記特許文献１はデジタルカメラにおいて不要な鏡筒の沈胴／繰り出しを防止して、撮影モードと再生モードに亘るモード移行の時間を短縮等する方法が開示されている。特許文献１の方法は、撮影モードから再生モードへの移行の際に直ぐに鏡筒を沈胴させるのではなく、再生画像切り替えやオートプレイ（自動再生機能）使用開始などに沈胴のトリガーを与える。これによって、不要な鏡筒の沈胴／繰り出しを防止するものである。
【特許文献１】特開２００１−３２６８４９号公報
【発明の開示】
【発明が解決しようとする課題】
【０００５】
例えば、デジタルカメラでは、撮影した画像を再生モードで一度確認して再び撮影を続ける場合、撮影者自身が撮影した画像を確認するには撮像モードから再生モードへと移行する際の鏡筒の沈胴が頻繁に行われないほうが使い勝手がよい。しかし、撮影した画像を撮影者以外の人に確認してもらう際には鏡筒が繰り出したままであるとレンズを汚したり、鏡筒を何かにぶつけて破損させてしまうといった不都合が生じる。
【０００６】
そこで、本発明の目的は、撮影後すぐに画像を確認する際に、自分で撮影した画像を確認する場合は不要な鏡筒の沈胴／繰り出しを防止し、かつ撮影者以外の人に撮影した画像を確認してもらう場合は、レンズを汚したり、鏡筒を何かにぶつけて破損させてしまうといった不都合を防止することのできる撮像装置を提供することにある。
【課題を解決するための手段】
【０００７】
上述の目的を達成するため、本発明は以下（１）、（２）の構成を備える。
【０００８】
（１）撮像光学系を繰り出し方向と繰り込み方向に移動可能な撮像装置において、
前記撮像光学系を繰り込み方向に移動させる制御手段と、
撮影を行うための撮影モードから撮影した画像を再生するための再生モードへの移行時に計時を開始するタイマー手段と、
撮影を行うための撮影モードから撮影した画像を再生するための再生モードに移行した際に、前記撮像光学系を繰り込み方向に移動開始するまでの時間を設定できる手段を有することを特徴とする撮像装置。
【０００９】
（２）撮影を行うための複数の撮影モードを有し、撮影モードから撮影した画像を再生するための再生モードに移行した際に、前記撮像光学系を繰り込み方向に移動開始するまでの時間を前記複数の撮影モードごとに設定できる手段を有することを特徴とする前記（１）記載の撮像装置。
【発明の効果】
【００１０】
本発明によれば、撮影モードから再生モードに切替えた際の鏡筒を沈胴するまでの時間をユーザーが設定できるようにすることにより、撮影者自身が撮影した画像を再生モードで一度確認して再び撮影を続ける場合には撮像モードから再生モードへと移行する際の鏡筒の沈胴が頻繁に行われないようにし、撮影した画像を撮影者以外の人に確認してもらう際にはすぐに鏡筒の沈胴が行われ、レンズを汚したり、鏡筒を何かにぶつけて破損させてしまうといった不都合を防止することによって、ユーザーにとって使い勝手の良いものになる。
【発明を実施するための最良の形態】
【００１１】
以下、図面を参照して本発明の実施例を説明する。
【実施例】
【００１２】
図１は、本発明の実施例の構成を示す図である。
【００１３】
図１において、１００は画像処理装置である。
【００１４】
１０はズームレンズ及びフォーカスレンズからなる撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ，ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダ機能を実現することが可能である。
【００２３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。
【００２５】
これにより、複数枚の静止画像を連続して撮影する連写撮影やパノラマ撮影の場合にも、高速かつ大量の画像書き込みをメモリ３０に対して行うことが可能となる。
【００２６】
また、メモリ３０はシステム制御回路５０の作業領域としても使用することが可能である。
【００２７】
３２は適応離散コサイン変換（ＡＤＣＴ）等により画像データを圧縮伸長する画像圧縮・伸長回路であり、メモリ３０に格納された画像を読み込んで圧縮処理或いは伸長処理を行い、処理を終えたデータをメモリ３０に書き込む。
【００２８】
４０は絞り機能を備えるシャッター１２を制御する露光制御手段であり、フラッシュ４０４と連携することによりフラッシュ調光機能も有するものである。
【００２９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４０４はフラッシュであり、ＡＦ補助光の投光機能、フラッシュ調光機能も有する。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
５０は画像処理装置１００全体を制御するシステム制御回路であり、再生モードの起動時からスタートする後述のタイマー５０ａを備えている。５２はシステム制御回路５０の動作用の定数、変数、プログラム等を記憶するメモリである。
【００３３】
５４はシステム制御回路５０でのプログラムの実行に応じて、動作状態を示すＬＥＤ、発音素子等の組み合わせにより構成される表示部。
【００３４】
５６は電気的に消去・記録可能な不揮発性メモリであり、例えばＥＥＰＲＯＭ等が用いられる。
【００３５】
６０、６１、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３６】
ここで、これらの操作手段の具体的な説明を行う。
【００３７】
６０は画像処理装置１００の電源のＯＮ／ＯＦＦを行う電源スイッチ、６１は撮影を露出制御、ホワイトバランス制御、フォーカス制御等の撮影にかかわる制御をすべて自動で行うオート撮影モード、前記撮影にかかわる制御を手動で行うことができるマニュアル撮影モード、動画撮影を行う動画撮影モード、再生モードを選択するモードダイアルである。
【００３８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３９】
６４はシャッタースイッチＳＷ２で、不図示のシャッターボタンの操作完了でＯＮとなり、撮像素子１４から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、画像圧縮・伸長回路３２で圧縮を行い、記録媒体２００或いは２１０に画像データを書き込む記録処理という一連の処理の動作開始を指示する。
【００４０】
６６は画像表示ＯＮ／ＯＦＦスイッチで、画像表示部２８のＯＮ／ＯＦＦを設定することが出来る。
【００４１】
この機能により、光学ファインダ１０４を用いて撮影を行う際に、ＴＦＴ，ＬＣＤ等から成る画像表示部への電流供給を遮断することにより、省電力を図ることが可能となる。
【００４２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４３】
８０は電源制御手段で、電池検出回路、ＤＣ−ＤＣコンバータ、通電するブロックを切替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００４５】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００４６】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４７】
インターフェース及びコネクタとしては、ＰＣＭＣＩＡカードやＣＦ（コンパクトフラッシュ(登録商標)）カード等の規格に準拠したものを用いて構成して構わない。
【００４８】
さらに、インターフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００４９】
１０２は、画像処理装置１００の撮影レンズ１０を含む撮像部を覆う事により、撮像部の汚れや破損を防止するバリアである保護手段である。
【００５０】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００５１】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５２】
１１２は通信手段１１０により画像処理装置１００を他の機器と接続するコネクタ或いは無線通信の場合はアンテナである。
【００５３】
１１４は画像処理装置１００の姿勢を検出する姿勢検出部である。
【００５４】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。
【００５５】
２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００５６】
図２を参照して、実施例の動作を説明する。図２は本実施例における動作を示すフローチャートである。なお、この図２のフローチャートに従ったプログラムを例えばメモリ５２に格納し動作することにより、以下の制御方法を実現させることが可能となる。
【００５７】
カメラが撮影のための撮影モードで動作している場合（ステップＳ１０１）には、鏡筒の状態は沈胴（収納、撮影不能）状態ではなく必ず繰り出された（撮影可能）状態になっている。ここで、撮影画像を再生するための再生モードへの変更を検出すると（ステップＳ１０２）、再生モード起動時から鏡筒を沈胴するまでの時間が設定されているかを判断し（ステップＳ１０３）、再生モード起動時から鏡筒を沈胴するまでの時間に０秒以外が設定されていれば再生モード起動時からタイマー５０ａをスタートさせる（ステップＳ１０４）。
【００５８】
カメラ本体１００の表示部５４には直前に撮影した画像が表示される。タイマー５０ａが起動してから一定の時間が経過した場合には（ステップＳ１０５）、タイマー５０ａをストップし（ステップＳ１０６）、鏡筒を沈胴させる（ステップＳ１０７）。
【００５９】
一定の時間が経過していない場合、撮影モードに戻っているか否かを検出し（ステップＳ１０８）、撮影モードに戻っていなければステップＳ１０５に戻り、撮影モードに戻っていれば、タイマー５０ａをストップして（ステップＳ１０９）、鏡筒を沈胴させることなくステップＳ１０１の撮影モードに戻る。
【００６０】
また、ステップＳ１０３において、再生モード起動時から鏡筒を沈胴するまでの時間が０秒に設定されていれば、タイマー５０ａをスタートすることなく鏡筒を沈胴させる（ステップＳ１０７）。
【００６１】
再生モード起動時から鏡筒を沈胴するまでの時間の設定は操作部７０のメニューボタンを押し、設定メニューを表示し、鏡筒を沈胴するまでの時間を選択する。
【００６２】
撮影者が撮影したいシーンを選択して、カメラの設定が自動的に切り替わる撮影モードが複数ある場合には、各撮影モードで個別に再生モード起動時から鏡筒を沈胴するまでの時間を設定できるようにする。人物撮影など撮影した画像を撮影者以外の人に確認してもらう事が多い撮影モードでは、再生モード起動時から鏡筒を沈胴するまでの時間を０秒にする。また、静物、風景など撮影した画像を撮影者自身が確認し、すぐに撮影を再開することが多い撮影モードでは撮影者が十分に確認できる時間を設定する。
【００６３】
本発明は、上述した実施形態の装置に限定されず、複数の機器から構成されるシステムに適用しても、１つの機器から成る装置に適用しても良い。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【００６４】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００６５】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００６６】
以上が特許請求の範囲に記載の構成と実施の形態の対応関係であるが、本発明は、以上の実施の形態に限られるものではなく、請求項で示した機能、または、実施の形態の構成が持つ機能が達成できるものであればどのようなものであっても適用できるものである。例えば、以上の実施形態のソフト構成とハード構成は、適宜置き換えることができるものである。
【００６７】
また、本発明は、特許請求の範囲の構成、または、実施形態の構成の全体若しくは一部が、１つの装置を形成するものであっても、他の装置と結合するようなものであっても、装置を構成する要素となるようなものであってもよい。
【００６８】
また、本発明は、ビデオムービーカメラ、ビデオスチルカメラ、銀塩フィルムを使用するカメラ、撮影レンズ交換可能なカメラ、一眼レフカメラ、レンズシャッタカメラ、監視カメラ等、種々の形態のカメラ、さらには、カメラ以外の撮像装置や、光学装置、その他の装置、さらには、それらカメラ、撮像装置、光学装置、その他の装置に適用される装置、それら装置の制御方法、それら装置の制御プログラムを提供する記憶媒体等の媒体、そして、これらを構成する要素に対しても適用できるものである。
【００６９】
以上説明したように、撮影モードから再生モードに切替えたの鏡筒を沈胴するまでの時間をユーザーが設定できるようにすることにより、撮影者自身が撮影した画像を再生モードで一度確認して再び撮影を続ける場合には撮像モードから再生モードへと移行する際の鏡筒の沈胴が頻繁に行われないようにし、撮影した画像を撮影者以外の人に確認してもらう際にはすぐに鏡筒の沈胴が行われ、レンズを汚したり、鏡筒を何かにぶつけて破損させてしまうといった不都合を防止することができ、ユーザーにとって使い勝手の良いものになる。
【図面の簡単な説明】
【００７０】
【図１】本発明の実施形態であるカメラのブロック図
【図２】本発明の実施形態における動作を示すフローチャート
【符号の説明】
【００７１】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
５０  システム制御回路
５０ａ  タイマー
５２  メモリ
５４  表示部
５６  不揮発性メモリ
６０  電源スイッチ
６１  モードダイアル
６２  シャッタースイッチＳＷ１
６４  シャッタースイッチＳＷ２
６６  画像表示ＯＮ／ＯＦＦスイッチ
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インターフェース
２０６  コネクタ
２１０  記録媒体
２１２  記録部
２１４  インターフェース
２１６  コネクタ
【図１】
2007214631.tif 000003
【図２】
2007214631.tif 000004